(57)【要約】【課題】液晶表示パネルに貼り付けられた光学補償フィルムの貼り間違いを確実に見分ける。【解決手段】視野角を広げるための位相差フィルム、及び偏光フィルムを一体化した光学補償フィルム２及び４が貼り付けられた液晶表示パネル３に対し、各光学補償フィルム２及び４の貼り間違いを検査する液晶表示パネル３の検査方法であって、互いに平行に延びる複数の稜線を有する第１レンズシート部６ａ、第１レンズシート部６ａの各稜線に４５°で交差する方向に延びる複数の稜線を有する第２レンズシート部６ｂ、及び第１レンズシート部６ａの各稜線に直交する方向に延びる複数の稜線を有する第３レンズシート部６ｃが配設された検査治具６を液晶表示パネル３の表面に載置する工程と、検査治具６の各レンズシート部６ａ〜６ｃを介して、液晶表示パネル３の表面を観察して点灯検査する工程とを備える。【選択図】図１
2007333956.tif 000002
【特許請求の範囲】
【請求項１】
互いに対向して配置された一対の基板と、該一対の基板の間に設けられた液晶層とを備え、視野角を広げるための位相差フィルム、及び偏光フィルムを一体化した光学補償フィルムが上記各基板の表面に上記位相差フィルム側からそれぞれ貼り付けられた液晶表示パネルに対し、上記各光学補償フィルムの貼り間違いを検査する液晶表示パネルの検査方法であって、
互いに平行に延びる複数の稜線を有する第１レンズシート部、該第１レンズシート部の各稜線に４５°で交差する方向に延びる複数の稜線を有する第２レンズシート部、及び上記第１レンズシート部の各稜線に直交する方向に延びる複数の稜線を有する第３レンズシート部が配設された検査治具を上記液晶表示パネルの一方の表面に載置する検査治具載置工程と、
上記液晶表示パネルの他方の表面側から該液晶表示パネルに光を供給すると共に、上記検査治具の第１レンズシート部、第２レンズシート部及び第３レンズシート部を介して、上記液晶表示パネルの一方の表面を観察して点灯検査する点灯検査工程とを備えることを特徴とする液晶表示パネルの検査方法。
【請求項２】
請求項１に記載された液晶表示パネルの検査方法において、
上記偏光フィルムは、一方向の偏光軸を有し、
上記位相差フィルムは、上記偏光軸と直交する方向に傾斜して配向した複数のディスコティック液晶化合物を含む液晶層を有していることを特徴とする液晶表示パネルの検査方法。
【請求項３】
請求項１に記載された液晶表示パネルの検査方法において、
上記光学補償フィルムは、矩形状であることを特徴とする液晶表示パネルの検査方法。
【請求項４】
請求項１に記載された液晶表示パネルの検査方法において、
上記点灯検査工程では、上記液晶表示パネルに黒表示させるための検査信号を入力することを特徴とする液晶表示パネルの検査方法。
【請求項５】
互いに対向して配置された一対の基板と、該一対の基板の間に設けられた液晶層とを備え、視野角を広げるための位相差フィルム、及び偏光フィルムを一体化した光学補償フィルムが上記各基板の表面に上記位相差フィルム側からそれぞれ貼り付けられた液晶表示パネルに対し、上記各光学補償フィルムの貼り間違いを検査するための検査治具であって、
互いに平行に延びる複数の稜線を有する第１レンズシート部、該第１レンズシート部の各稜線に４５°で交差する方向に延びる複数の稜線を有する第２レンズシート部、及び上記第１レンズシート部の各稜線に直交する方向に延びる複数の稜線を有する第３レンズシート部が同一平面上に形成されていることを特徴とする検査治具。
【発明の詳細な説明】
【技術分野】
【０００１】
本発明は、液晶表示パネルの検査方法及びそれに用いられる検査治具に関し、特に、位相差フィルム及び偏光フィルムを一体化した光学補償フィルムが貼り付けられた液晶表示パネルの検査方法に関するものである。
【背景技術】
【０００２】
ＴＮ（Twisted Nematic）モードなどの液晶表示パネルは、一定方向のみに振動する光を用いる必要があるので、その上面及び下面に一定方向のみに振動する光を透過させる偏光フィルムがそれぞれ貼り付けられている。
【０００３】
例えば、特許文献１には、液晶パネル（液晶表示パネル）に被検査偏光板（偏光フィルム）を貼り付ける前に、光源と被検査偏光板との間に無欠陥偏光板を介在するとともに、この無欠陥偏光板を透過した偏光の進行方向に対し被検査偏光板を直交配置し、この被検査偏光板を含む平面内で被検査偏光板を回転しながら検査する、偏光板の検査方法が開示されている。これによれば、不具合偏光板の貼り替えに伴うリペア工数を削減し、静電気による液晶パネルの損傷を防止して、偏光板の不具合を検出できる、と記載されている。
【特許文献１】特開平９−２２９８１７号公報
【発明の開示】
【発明が解決しようとする課題】
【０００４】
近年、ＴＮモードなどの液晶表示パネルでは、視野角を広げるために、視野角制御フィルム（位相差フィルム）と偏光フィルムとを一体化した光学補償フィルムがよく用いられている。
【０００５】
この光学補償フィルムは、ＧＲＰ（Gradual Refraction Polarizer）フィルムと呼ばれ、互いに対向して配置された一対の支持体と、それら支持体の間に設けられ一方向の偏光軸を有する偏光子層と、一方の支持体の表面にディスコティック液晶化合物がコーティングされた液晶層と、その液晶層の表面に形成された接着層とを備えている。そして、光学補償フィルムは、液晶層のコーティングされた液晶化合物が偏光子層の偏光軸と直交する方向、すなわち、偏光子層の吸収軸方向に傾斜して配向しているので、所定の方向性を有している。そのため、液晶表示パネルの上面及び下面に光学補償フィルムを貼り付ける工程では、光学補償フィルムの貼り合わせる方向に注意する必要がある。
【０００６】
図１４の（ａ）〜（ｄ）の各写真は、光学補償フィルムが貼り付けられた液晶表示パネルに黒表示させるための検査信号を入力して、その液晶表示パネルを真上から観察したときの表示の見え方を示すものである。具体的に、図１４（ａ）、図１４（ｂ）、図１４（ｃ）及び図１４（ｄ）は、それぞれ、上面側及び下面側の光学補償フィルムの双方が正常に貼り付けられた場合、上面側の光学補償フィルムのみが１８０°反対に貼り付けられた場合、下面側の光学補償フィルムのみが１８０°反対に貼り付けられた場合、及び上面側及び下面側の光学補償フィルムの双方が１８０°反対に貼り付けられた場合を示している。
【０００７】
図１４（ａ）〜（ｄ）を比較すれば分かるように、光学補償フィルムの貼り合わせ方向の違いによる表示の見え方は、微妙であるので、異常なものを確実に見分けることは困難である。特に、検査するロットの中に異常なものが幾つか混在している場合には、見分けることが可能であるが、検査するロットの全てが異常である場合には、見分けることが困難であり、見逃してしまうおそれがある。
【０００８】
本発明は、かかる点に鑑みてなされたものであり、その目的とするところは、液晶表示パネルに貼り付けられた光学補償フィルムの貼り間違いを確実に見分けることにある。
【課題を解決するための手段】
【０００９】
上記目的を達成するために、本発明は、所定方向に互いに平行に延びる複数の稜線をそれぞれ有する第１レンズシート部、第２レンズシート部及び第３レンズシート部が配設された検査治具を用いて点灯検査するようにしたものである。
【００１０】
具体的に本発明に係る液晶表示パネルの検査方法は、互いに対向して配置された一対の基板と、該一対の基板の間に設けられた液晶層とを備え、視野角を広げるための位相差フィルム、及び偏光フィルムを一体化した光学補償フィルムが上記各基板の表面に上記位相差フィルム側からそれぞれ貼り付けられた液晶表示パネルに対し、上記各光学補償フィルムの貼り間違いを検査する液晶表示パネルの検査方法であって、互いに平行に延びる複数の稜線を有する第１レンズシート部、該第１レンズシート部の各稜線に４５°で交差する方向に延びる複数の稜線を有する第２レンズシート部、及び上記第１レンズシート部の各稜線に直交する方向に延びる複数の稜線を有する第３レンズシート部が配設された検査治具を上記液晶表示パネルの一方の表面に載置する検査治具載置工程と、上記液晶表示パネルの他方の表面側から該液晶表示パネルに光を供給すると共に、上記検査治具の第１レンズシート部、第２レンズシート部及び第３レンズシート部を介して、上記液晶表示パネルの一方の表面を観察して点灯検査する点灯検査工程とを備えることを特徴とする。
【００１１】
上記の方法によれば、点灯検査工程において、液晶表示パネルを例えば黒表示させて、液晶表示パネルの各表面の光学補償フィルムがそれぞれ正常な軸方向で貼り付けられた第１の場合には、検査治具載置工程で載置された検査治具の第１レンズシート部、第２レンズシート部及び第３レンズシート部を介した液晶表示パネルの各表面が全て「暗い表示」になる。また、液晶表示パネルの一方の表面の光学補償フィルムのみが１８０°回転した軸方向で貼り付けられた第２の場合には、検査治具載置工程で載置された検査治具の第１レンズシート部、第２レンズシート部及び第３レンズシート部を介した液晶表示パネルの各表面がそれぞれ「暗い表示」、「明るい表示」及び「暗い表示」になる。さらに、液晶表示パネルの他方の表面の光学補償フィルムのみが１８０°回転した軸方向で貼り付けられた第３の場合には、検査治具載置工程で載置された検査治具の第１レンズシート部、第２レンズシート部及び第３レンズシート部を介した液晶表示パネルの各表面がそれぞれ「明るい表示」、「暗い表示」及び「明るい表示」になる。また、液晶表示パネルの各表面の光学補償フィルムがそれぞれ１８０°回転した軸方向で貼り付けられた第４の場合には、検査治具載置工程で載置された検査治具の第１レンズシート部、第２レンズシート部及び第３レンズシート部を介した液晶表示パネルの各表面がそれぞれ「明るい表示」、「明るい表示」及び「暗い表示」になる。これにより、検査治具載置工程において、液晶表示パネルの一方の表面に検査治具を載置した後に、点灯検査工程において、検査治具の第１レンズシート部、第２レンズシート部及び第３レンズシート部を介して液晶表示パネルの一方の表面を観察して、各レンズシート部における「明るい表示」又は「暗い表示」のパターンの判別を行うことにより、液晶表示パネルに貼り付けられた光学補償フィルムの貼り間違いが確実に見分けられる。
【００１２】
上記偏光フィルムは、一方向の偏光軸を有し、上記位相差フィルムは、上記偏光軸と直交する方向に傾斜して配向した複数のディスコティック液晶化合物を含む液晶層を有していてもよい。
【００１３】
上記の方法によれば、位相差フィルムを構成する各ディスコティック液晶化合物が偏光フィルムの偏光軸と直交する方向に傾斜して配向し、液晶表示パネルの視野角が広がることになるので、本発明の作用効果が具体的に奏される。
【００１４】
上記光学補償フィルムは、矩形状であってもよい。
【００１５】
上記の方法によれば、本発明の作用効果が具体的に奏される。特に、光学補償フィルムが正方形状である場合には、光学補償フィルムの各辺の長さが等しく、光学補償フィルムの貼り合わせ方向を間違える可能性が高くなるので、本発明の作用効果が有効に奏される。
【００１６】
上記点灯検査工程では、上記液晶表示パネルに黒表示させるための検査信号を入力してもよい。
【００１７】
上記の方法によれば、点灯検査工程で液晶表示パネルを黒表示させた場合には、各レンズシート部における「明るい表示」及び「暗い表示」の間のコントラストが大きくなるので、「明るい表示」及び「暗い表示」の判別が容易になる。
【００１８】
また、本発明に係る検査治具は、互いに対向して配置された一対の基板と、該一対の基板の間に設けられた液晶層とを備え、視野角を広げるための位相差フィルム、及び偏光フィルムを一体化した光学補償フィルムが上記各基板の表面に上記位相差フィルム側からそれぞれ貼り付けられた液晶表示パネルに対し、上記各光学補償フィルムの貼り間違いを検査するための検査治具であって、互いに平行に延びる複数の稜線を有する第１レンズシート部、該第１レンズシート部の各稜線に４５°で交差する方向に延びる複数の稜線を有する第２レンズシート部、及び上記第１レンズシート部の各稜線に直交する方向に延びる複数の稜線を有する第３レンズシート部が同一平面上に形成されていることを特徴とする。
【００１９】
上記の構成によれば、光学補償フィルムが貼り付けられた液晶表示パネルを検査する際には、検査治具を液晶表示パネルの一方の表面に載置すると共に、液晶表示パネルを例えば黒表示させて、液晶表示パネルの各表面の光学補償フィルムがそれぞれ正常な軸方向で貼り付けられた第１の場合には、検査治具の第１レンズシート部、第２レンズシート部及び第３レンズシート部を介した液晶表示パネルの各表面が全て「暗い表示」になる。また、液晶表示パネルの一方の表面の光学補償フィルムのみが１８０°回転した軸方向で貼り付けられた第２の場合には、検査治具の第１レンズシート部、第２レンズシート部及び第３レンズシート部を介した液晶表示パネルの各表面がそれぞれ「暗い表示」、「明るい表示」及び「暗い表示」になる。さらに、液晶表示パネルの他方の表面の光学補償フィルムのみが１８０°回転した軸方向で貼り付けられた第３の場合には、検査治具の第１レンズシート部、第２レンズシート部及び第３レンズシート部を介した液晶表示パネルの各表面がそれぞれ「明るい表示」、「暗い表示」及び「明るい表示」になる。また、液晶表示パネルの各表面の光学補償フィルムがそれぞれ１８０°回転した軸方向で貼り付けられた第４の場合には、検査治具の第１レンズシート部、第２レンズシート部及び第３レンズシート部を介した液晶表示パネルの各表面がそれぞれ「明るい表示」、「明るい表示」及び「暗い表示」になる。これにより、光学補償フィルムが貼り付けられた液晶表示パネルを検査する際には、検査治具を液晶表示パネルの一方の表面に載置した後に、検査治具の第１レンズシート部、第２レンズシート部及び第３レンズシート部を介して液晶表示パネルの一方の表面を観察して、各レンズシート部における「明るい表示」又は「暗い表示」のパターンの判別を行うことにより、液晶表示パネルに貼り付けられた光学補償フィルムの貼り間違いが確実に見分けられる。
【発明の効果】
【００２０】
本発明によれば、所定方向に互いに平行に延びる複数の稜線をそれぞれ有する第１レンズシート部、第２レンズシート部及び第３レンズシート部が配設された検査治具を用いて点灯検査するため、各レンズシート部における「明るい表示」又は「暗い表示」のパターンを判別を行うことにより、液晶表示パネルに貼り付けられた光学補償フィルムの貼り間違いを確実に見分けることができる。
【発明を実施するための最良の形態】
【００２１】
以下、本発明の実施形態を図面に基づいて詳細に説明する。なお、本発明は、以下の実施形態に限定されるものではない。
【００２２】
図１は、本発明の一実施形態に係る液晶表示パネル３（光学補償フィルム付き液晶表示パネル５ａ）の検査方法を示す分解斜視図である。そして、図２は、光学補償フィルム２及び４が貼り付けられた液晶表示パネル３の断面図であり、図３は、光学補償フィルム２及び４の断面図である。
【００２３】
液晶表示パネル３は、図２に示すように、互いに対向して配置された一対の基板、すなわち、アクティブマトリクス基板３ａ及び対向基板３ｂと、アクティブマトリクス基板３ａ及び対向基板３ｂの間に設けられた液晶層３ｃと、アクティブマトリクス基板３ａ及び対向基板３ｂをその外周部で互いに接着すると共に液晶層３ｃを包囲するように枠状に設けられたシール部（不図示）とを備えている。
【００２４】
アクティブマトリクス基板３ａは、ガラス基板（不図示）と、そのガラス基板上に互いに平行に延びるように設けられた複数のゲート線（不図示）と、各ゲート線と直交するように設けられた複数のソース線（不図示）と、ゲート線とソース線との各交差部分にスイッチング素子として設けられた薄膜トランジスタ（不図示）と、隣り合う一対のゲート線、及び隣り合う一対のソース線に囲われる各領域に設けられた画素電極（不図示）と、各画素電極を覆うように設けられた配向膜（不図示）とを備えている。そして、各画素電極は、画像の最小単位である画素を構成すると共に、マトリクス状に配列して表示領域を構成している。
【００２５】
対向基板３ｂは、ガラス基板（不図示）と、ガラス基板上に設けられたカラーフィルター層（不図示）と、カラーフィルター層を覆うように設けられたオーバーコート層（不図示）と、オーバーコート層を覆うように設けられた共通電極（不図示）と、共通電極を覆うように設けられた配向膜（不図示）とを備えている。
【００２６】
液晶層３ｃは、電気光学特性を有する液晶分子を含み、その液晶分子がＴＮモードの配向状態をとるように構成されている。
【００２７】
また、液晶表示パネル３の上面及び下面には、後述する接着層Ａｄを介して光学補償フィルム２及び４がそれぞれ貼り付けられている。
【００２８】
光学補償フィルム２及び４は、図３に示すように、互いに対向して配置された一対の支持体Ｂａ及びＢｂと、支持体Ｂａ及びＢｂの間に設けられ一方向の偏光軸を有する偏光子層Ｐｏと、支持体Ｂａの表面にディスコティック液晶化合物がコーティングされた液晶層Ｌｃと、液晶層Ｌｃの表面に形成された接着層Ａｄとを備えている。
【００２９】
各支持体Ｂａ及びＢｂは、トリアセチルセルロースフィルムなどにより構成されている。
【００３０】
偏光子層Ｐｏは、ヨウ素で染色したポリビニルアルコールフィルムなどにより構成されている。
【００３１】
また、光学補償フィルム２及び４では、支持体Ｂａ及び液晶層Ｌｃなどにより位相差フィルムＦａが構成され、支持体Ｂｂ及び偏光子層Ｐｏなどにより偏光フィルムＦｂが構成されている。そして、光学補償フィルム２及び４は、液晶層Ｌｃのコーティングされたディスコティック液晶化合物が偏光子層Ｐｏの偏光軸と直交する方向、すなわち、偏光子層Ｐｏの吸収軸方向に傾斜して配向しているので、所定の方向性を有している。
【００３２】
なお、光学補償フィルム２及び４としては、例えば、富士写真フィルム（株）製のＦｕＪｉ ＷＶ Ｆｉｌｍ ワイドビューＡなどが好適に用いられる。
【００３３】
図６〜図９は、長方形状の光学補償フィルム２及び４が貼り付けられた各光学補償フィルム付き液晶表示パネル５ａ〜５ｄにおける各光学補償フィルム２及び４の軸方向を示す模式図である。ここで、図６〜図９において、実線の矢印４ｄは、液晶表示パネル３の上面に貼り付けられた光学補償フィルム４の液晶層Ｌｃにおける液晶化合物のチルト角が発生する側（軸方向）を示し、破線の矢印２ｄは、液晶表示パネル３の下面に貼り付けられた光学補償フィルム２の液晶層Ｌｃにおける液晶化合物のチルト角が発生する側（軸方向）を示している。また、図６、図７、図８及び図９は、具体的に、光学補償フィルム２及び４の双方が正常に貼り付けられた場合、光学補償フィルム４のみが１８０°反対に貼り付けられた場合、光学補償フィルム２のみが１８０°反対に貼り付けられた場合、及び光学補償フィルム２及び４の双方が１８０°反対に貼り付けられた場合をそれぞれ示している。
【００３４】
次に、上記構成の光学補償フィルム付き液晶表示パネル５ａ〜５ｄの検査方法について説明する。
【００３５】
ここで、図４は、本実施形態の検査方法に用いられる検査治具６の上面図であり、図５は、検査治具６の斜視図である。
【００３６】
検査治具６は、図４及び図５に示すように、各々正方形状に開孔した３つの開口部を有する長方形状のベースシート６ｄと、各開口部に同一平面上に取り付けられた第１レンズシート部６ａ、第２レンズシート部６ｂ及び第３レンズシート部６ｃとを備えている。
【００３７】
ベースシート６ｄは、各開口部（レンズシート部）において光Ｌを透過させるので、アルミニウム・ステンレス・鉄などの遮光性材料であることが好ましいが、これに限定されることはない。
【００３８】
各レンズシート部６ａ、６ｂ及び６ｃは、熱プレス法や射出成形法を用いて、メタクリル樹脂などの透明な熱可塑性樹脂により形成されている。また、各レンズシート部６ａ、６ｂ及び６ｃの表面には、互いに平行に延びる複数の溝が形成され、各溝の上縁が稜線Ｅｌとなっている。さらに、各溝の横断面の形状は、頂角が例えば、９０°程度の二等辺三角形である。また、各稜線Ｅｌのピッチは、例えば、０．０５ｍｍである。
【００３９】
さらに、図４及び図５に示すように、第１レンズシート部６ａでは、各稜線Ｅｌがベースシート６ｄの短辺に沿って延び、第２レンズシート部６ｂでは、各稜線Ｅｌがベースシート６ｄの短辺及び長辺に４５°で交差する方向に延び、第３レンズシート部６ｃでは、各稜線Ｅｌがベースシート６ｄの長辺に沿って延びるように構成されていることにより、第２レンズシート部６ｂの各稜線Ｅｌは、第１レンズシート部６ａの各稜線Ｅｌ及び第３レンズシート部６ｃの各稜線Ｅｌに４５°で交差する方向に延び、第１レンズシート部６ａの各稜線Ｅｌ及び第３レンズシート部６ｃの各稜線Ｅｌは、互いに直交する方向に延びている。
【００４０】
また、バックライト１は、蛍光ランプなどの光源が内蔵され、図１に示すように、光学補償フィルム２を介して被検査パネルである液晶表示パネル３（５ａ）の表示領域に面状の光Ｌを供給するためのものである。
【００４１】
以下に、本実施形態の検査方法を示す。なお、本実施形態の検査方法は、検査治具載置工程及び点灯検査工程を備えている。
【００４２】
〜検査治具載置工程〜
上記構成の各光学補償フィルム付き液晶表示パネル５ａの光学補償フィルム４の表面に、上記構成の検査治具６を載置する。
【００４３】
〜点灯検査工程〜
バックライト１を点灯させて、光学補償フィルム付き液晶表示パネル５ａの下面に光Ｌを供給しながら、液晶表示パネル３（５ａ）に黒表示させるため検査信号を入力して、アクティブマトリクス基板３ａの全ての画素電極と対向基板３ｂの共通電極との間に所定の電圧を印加すると共に、検査治具６の第１レンズシート部６ａ、第２レンズシート部６ｂ及び第３レンズシート部６ｃを介して、液晶表示パネル３（５ａ）の表面を観察する。
【００４４】
このとき、図６の光学補償フィルム付き液晶表示パネル５ａのように、光学補償フィルム２及び４の双方が正常に貼り付けられた場合には、図１０に示すように、検査治具６の第１レンズシート部６ａ、第２レンズシート部６ｂ及び第３レンズシート部６ｃを介した液晶表示パネル５ａの各表面が全て「暗い表示」になり、光学補償フィルム付き液晶表示パネル５ａが正常品であることが確認できる。
【００４５】
また、図７の光学補償フィルム付き液晶表示パネル５ｂのように、上面側の光学補償フィルム４のみが１８０°反対に貼り付けられた場合には、図１１に示すように、検査治具６の第１レンズシート部６ａ、第２レンズシート部６ｂ及び第３レンズシート部６ｃを介した液晶表示パネル５ｂの各表面がそれぞれ「暗い表示」、「明るい表示」及び「暗い表示」になり、光学補償フィルム付き液晶表示パネル５ｂが異常品であることが確認できる。
【００４６】
また、図８の光学補償フィルム付き液晶表示パネル５ｃのように、下面側の光学補償フィルム２のみが１８０°反対に貼り付けられた場合には、図１２に示すように、検査治具６の第１レンズシート部６ａ、第２レンズシート部６ｂ及び第３レンズシート部６ｃを介した液晶表示パネル５ｃの各表面がそれぞれ「明るい表示」、「暗い表示」及び「明るい表示」になり、光学補償フィルム付き液晶表示パネル５ｃが異常品であることが確認できる。
【００４７】
また、図９の光学補償フィルム付き液晶表示パネル５ｄのように、光学補償フィルム２及び４の双方が１８０°反対に貼り付けられた場合には、図１３に示すように、検査治具６の第１レンズシート部６ａ、第２レンズシート部６ｂ及び第３レンズシート部６ｃを介した液晶表示パネル５ｄの各表面がそれぞれ「明るい表示」、「明るい表示」及び「暗い表示」になり、光学補償フィルム付き液晶表示パネル５ｄが異常品であることが確認できる。
【００４８】
以上のようにして、光学補償フィルム付き液晶表示パネル５ａ〜５ｄの光学補償フィルムの貼り間違えを検査することができる。
【００４９】
以上説明したように、本実施形態の液晶表示パネルの検査方法及びそれに用いられる検査治具によれば、光学補償フィルム２及び４が貼り付けられた液晶表示パネル３（５ａ〜５ｄ）を検査する際には、検査治具６を液晶表示パネル５ａ〜５ｄの一方の表面に載置すると共に、液晶表示パネル５ａ〜５ｄを黒表示させながら、検査治具６の第１レンズシート部６ａ、第２レンズシート部６ｂ及び第３レンズシート部６ｃを介して液晶表示パネル５ａ〜５ｄの各表面を観察して、各レンズシート部６ａ〜６ｃにおける「明るい表示」又は「暗い表示」のパターンの判別を行うことにより、液晶表示パネル３に貼り付けられた光学補償フィルム２及び４の貼り間違いを確実に見分けることができる。これにより、光学補償フィルム２及び４の貼り間違いを一目で判別でき、視角特性が異常な液晶表示パネル５ｂ〜５ｄが市場に流出することを抑制することができる。
【００５０】
また、本実施形態では、長方形状の光学補償フィルム２及び４の貼り間違いを例示したが、光学補償フィルムが他の形状であってもよい。特に、光学補償フィルムが正方形状の場合には、光学補償フィルムの各辺の長さが等しく、９０°の貼り間違いが予想されるので、光学補償フィルムの貼り合わせ方向を間違える可能性が高く、本発明がより有効になる。なお、本実施形態のように、長方形状の光学補償フィルム２及び４では、その長辺及び短辺からなる形状、及び接着層Ａｄとの位置関係によって、１８０°の貼り間違いに限定されることになる。
【００５１】
さらに、本実施形態では、検査治具６の第２レンズシート部６ｂの各稜線Ｅｌが他のレンズシート部６ａ及び６ｃの各稜線Ｅｌに４５°で交差する方向に延びているものを例示したが、本発明は、第２レンズシート部６ｂの各稜線Ｅｌを他のレンズシート部６ａ及び６ｃの各稜線Ｅｌに他の角度で交差するようにしてもよい。
【００５２】
また、本実施形態では、黒表示によって点灯検査を行う方法を例示したが、本発明は、中間調などの表示によって点灯検査を行ってもよい。
【００５３】
さらに、本実施形態では、ＴＮモードの液晶表示パネル３を例示したが、本発明は、他のモードの液晶表示パネルにも適用することができる。
【産業上の利用可能性】
【００５４】
以上説明したように、本発明は、光学補償フィルムの貼り間違いを確実に見分けることができるので、ＴＮモードの液晶表示パネルについて有用である。
【図面の簡単な説明】
【００５５】
【図１】本発明の一実施形態に係る液晶表示パネル３の検査方法を示す分解斜視図である。
【図２】本発明の一実施形態に係る液晶表示パネル３の断面図である。
【図３】本発明の一実施形態に係る光学補償フィルム２及び４の断面図である。
【図４】本発明の一実施形態に係る検査治具６の上面図である。
【図５】検査治具６の斜視図である。
【図６】正常な光学補償フィルム付き液晶表示パネル５ａにおける各光学補償フィルムの軸方向を示す模式図である。
【図７】異常な光学補償フィルム付き液晶表示パネル５ｂにおける各光学補償フィルムの軸方向を示す模式図である。
【図８】異常な光学補償フィルム付き液晶表示パネル５ｃにおける各光学補償フィルムの軸方向を示す模式図である。
【図９】異常な光学補償フィルム付き液晶表示パネル５ｄにおける各光学補償フィルムの軸方向を示す模式図である。
【図１０】検査治具６を介して光学補償フィルム付き液晶表示パネル５ａを真上から観察したときの表示の見え方を示す写真である。
【図１１】検査治具６を介して光学補償フィルム付き液晶表示パネル５ｂを真上から観察したときの表示の見え方を示す写真である。
【図１２】検査治具６を介して光学補償フィルム付き液晶表示パネル５ｃを真上から観察したときの表示の見え方を示す写真である。
【図１３】検査治具６を介して光学補償フィルム付き液晶表示パネル５ｄを真上から観察したときの表示の見え方を示す写真である。
【図１４】光学補償フィルムが貼り付けられた各液晶表示パネルを真上から観察したときの表示の見え方を示す写真である。
【符号の説明】
【００５６】
Ｅｌ      稜線
Ｆａ      位相差フィルム
Ｆｂ      偏光フィルム
Ｌ        光
２，４    光学補償フィルム
３        液晶表示パネル
３ａ      アクティブマトリクス基板
３ｂ      対向基板
３ｃ      液晶層
５ａ〜５ｄ    光学補償フィルム付き液晶表示パネル
６        検査治具
６ａ      第１レンズシート部
６ｂ      第２レンズシート部
６ｃ      第３レンズシート部
【図１】
2007333956.tif 000003
【図２】
2007333956.tif 000004
【図３】
2007333956.tif 000005
【図４】
2007333956.tif 000006
【図５】
2007333956.tif 000007
【図６】
2007333956.tif 000008
【図７】
2007333956.tif 000009
【図８】
2007333956.tif 000010
【図９】
2007333956.tif 000011
【図１０】
2007333956.tif 000012
【図１１】
2007333956.tif 000013
【図１２】
2007333956.tif 000014
【図１３】
2007333956.tif 000015
【図１４】
2007333956.tif 000016